(57)【要約】【課題】組立式ドレッサーのミラー内部構造は、全体に木桟が組み込まれたものであったので、重量があり組立が難しく、重心が保てず転倒しやすくなり、破損しやすい、ミラーが歪むなどの問題と、ミラーを下地板に直接貼り付ける仕様であるため、ミラーの交換が容易にできない問題があった。【解決手段】ドレッサー上台とドレッサー下台を備えるドレッサーであって、ドレッサー上台はミラー枠１、ミラー枠１の中に第１のミラー２ａ、第２のミラー２ｂ、金属製フレーム３、ドレッサー下台は天板４、天板４には天板左開口４ａと天板右開口４ｂがあり、金属製フレーム左柱部３ａ、金属製フレーム右柱部３ｂを天板４の天板左開口４ａ、天板右開口４ｂに差込み、ボルト６のボルト左部６ａ、ボルト右部６ｂで連結できるドレッサーで、ミラー枠１に設けられた溝に第１のミラー２ａ、第２のミラー２ｂをスライド式に差し込むことができて、ミラー交換を可能にすることができる構成とする。【選択図】図２
2019058626.tif 000002
【特許請求の範囲】
【請求項１】
ドレッサー上台とドレッサー下台を備えるドレッサーであって、前記ドレッサー上台はミラー枠、前記ミラー枠の中に第１のミラー、第２のミラー、金属製フレーム、前記ドレッサー下台は天板、前記天板には開口があり、前記金属製フレーム左柱部、前記金属製フレーム右柱部を前記天板の前記開口に差込み、ボルトで連結できるドレッサー。
【請求項２】
前記ミラー枠に溝を設け、その溝に前記第１のミラー、第２のミラーをスライド式に差し込むことができて、ミラー交換を可能にすることを特徴とする請求項１に記載のドレッサー。
【発明の詳細な説明】
【技術分野】
【０００１】  本発明は、大型ドレッサーのミラーの歪みを解消し、組立時の重心安定と軽量化を図った内部構造に関するものである。
【背景技術】
【０００２】  従来大型ドレッサーは一体型が主流であったが、近年運送コスト等の関係により組立式ドレッサーが出始めている。組立式ドレッサーは、上部のミラー部分と下部の下台とをジョイントする構造が多いが、内部構造は木構造で組み込まれているので、大型になればなるほど上部のミラー部分の重量が大きくなり、重心を安定させることが難しい。また、内部構造が木構造のため、経年劣化で木が収縮して反りが出てくることにより、内部の下地が反り、ミラー自体が下地の反りを拾って歪む原因となる。こちらも大型になればなるほど内部構造の木の分量が多くなり、下地の反りを拾いやすくなって歪みが大きくなる。【０００３】  また、従来の大型ドレッサーのミラーは下地材に直接ミラーを張り付けているものが大半であり、ミラーに傷がついてしまうとドレッサーの上部を丸ごと交換しなければならない。【０００４】
【先行技術文献】
【０００５】
【特許文献】
【０００６】
【非特許文献１】サロンマーケット自立両面ミラーブルックリンシリーズｄｅｐｏｔ  ｈｔｔｐ：／／ｗｗｗ．ｓａｌｏｎ−ｍａｒｋｅｔ．ｃｏｍ／？ｐｉｄ＝９３２５０７９３
【非特許文献２】サロンマーケット自立両面ミラーブルックリンシリーズｄｅｐｏｔ  ＩＩ  ｈｔｔｐ：／／ｗｗｗ．ｓａｌｏｎ−ｍａｒｋｅｔ．ｃｏｍ／？ｐｉｄ＝９３２５０６６６
【発明の概要】
【発明が解決しようとする課題】
【０００７】  以上に述べた従来の組立式ドレッサーのミラー内部構造では、全体に木桟が組込まれて、その外側にシナベニヤの下地板が貼られていた。下部に中密度繊維板（ＭＤＦ）の凸ベースがあり、これをテーブルの凹部分に組込み、両部をねじ固定して組立てるものであった。そのため上部ミラー部分は重量があり、組立が難しい、重心が保てず転倒しやすくなる、中密度繊維板（ＭＤＦ）の強度が弱いため使い方によっては破損しやすくなる、などの問題があった。また、ミラーを下地板に直接貼り付ける仕様であるため、ミラーの交換が容易にできないなどの問題があった。【０００８】  本発明は、上記のような従来の問題点を解消することができるミラー枠内部構造を提案するものであって、組立時の重心安定、軽量化を図った内部構造、組立の容易化、ミラーの歪みを解消する、ミラー交換を可能にすることを目的とするものである。
【課題を解決するための手段】
【０００９】  本発明は上記目的を達成するために、本体上部ミラー枠内部に、金属製フレームを設け、下台天板にある開口に差し込み固定する構造としたものである。【００１０】  また、第２の解決手段は、ミラーを下地板に直接貼り付けせず、ミラー枠に溝を設け、ミラーをスライド式で設置できるようにすることを特徴とする。【００１１】  上記第１の課題解決手段による作用は次の通りである。本体上部ミラー枠の下から２／３以上に金属製フレームを使用しているので、木フレームよりも強度が高く、ミラー全体の重心が下部に安定し、またミラー枠の木桟量を減らすことができるので、ドレッサー上部全体の軽量化を実現できる。そして金属製フレームを下台天板に差し込み固定する構造にすることにより、従来の組立を容易にすることができる。【００１２】  また、第２の課題解決手段による作用は、ミラー枠に溝を設けることによりスライド式にミラーを装着できるため、ミラーに傷がついても、新しいミラーに交換することが可能になる。
【発明の効果】
【００１３】  上述したように、本発明のドレッサーミラー内部構造によれば、組立時の重心安定、上部ミラー枠の軽量化、組立の容易化が実現できる。これはドレッサーが大型になればなるほど効果を発揮する。【００１４】  尚、スライド式にミラーを装着するため、新しいミラーに取り換えることが容易にできるという効果を発揮するものである。
【図面の簡単な説明】
【００１５】
【図１】ドレッサー全体図
【図２】ドレッサー上台と下台図
【図３】ドレッサー上台断面図
【図４】ドレッサー上台断面ミラー取外し図
【図５】ドレッサー上台分解図
【図６】ドレッサー上台組立構造図
【図７】ドレッサー内部金属製フレーム全体図
【図８】ドレッサーミラー枠表裏溝図
【発明を実施するための形態】
【００１６】  以下、本発明の実施の形態を図１〜８に基づいて説明する。
【００１７】  図１ドレッサー全体図において１はミラー枠で、ミラー枠上部１ａとミラー枠下部１ｂの横部材は同寸法、ミラー枠左部１ｃとミラー枠右部１ｄの縦部材は同寸法を有する。２ａは第１のミラー、４は天板、８はドレッサー下台である。
【００１８】  図２はドレッサー上台とドレッサー下台図である。ドレッサー上部ミラーの本体から突出した金属製フレーム左柱部３ａと金属製フレーム右柱部３ｂを天板４にとりつけ、ドレッサー上台とドレッサー下台を固定する。方法は、天板４に開けられた天板左開口４ａ、天板右開口４ｂに金属製フレーム左柱部３ａと金属製フレーム右柱部３ｂをそれぞれ貫通して差込み、天板４の下より座金５の座金左部５ａと座金右部５ｂを取付け、ボルト６のボルト左部６ａとボルト右部６ｂでそれぞれ締め付け固定する。
金属製フレーム３のボルト固定部分の本数は１本〜複数本で構成してもよいが、組立手順や自立のバランスを考えると、ドレッサー本体の横幅が８００ｍｍ程度であれば最適条件としては２本が好ましい。
金属製フレームのボルト固定部分の形状は柱状でも可能であるが、円柱にすることにより、天板側の開口が丸開口となり、ドリルで容易に開けることができるので、四角く開口を開ける際の切り欠き手間を省けて制作時の手数が少なくなる。
【００１９】  図３はドレッサー上台断面図で、中心を切断してミラー枠左部１ｃ方向を見た図である。縦部材はミラー枠縦木桟１ｍ、１ｑがある。横部材としてミラー枠横木桟１ｇ、１ｈ、金属製フレーム上部３ｃを挟んでミラー枠横木桟１ｉ、１ｊ、１ｋ、更に下に金属製フレーム下部３ｄがある。その外部上下にミラー枠上部１ａ、ミラー枠下部１ｂがある。第１の差込部９ａは、溝表面上部７ａ、溝表面下部７ｂ、溝表面左部７ｃ、溝表面右部７ｄの総称で、第２の差込部９ｂは、溝裏面上部７ｅ、溝裏面下部７ｆ、溝裏面左部７ｇ、溝裏面右部７ｈの総称で、ミラー枠上部１ａ、ミラー枠下部１ｂには第１の差込部９ａ、第２の差込部９ｂが施されている。木桟面に接着されたミラー枠表板１ｅの前面に第１のミラー２ａを第１の差込部９ａに差込み、ミラー枠裏板１ｆの前面に第２のミラー２ｂを第２の差込部９ｂに差し込む構成である。ミラー枠下部１ｂからは金属製フレーム右柱部３ｂが突出している。
【００２０】  図４はドレッサー上台断面ミラー取外し図で、ミラー枠上部１ａの第１の差込部９ａに差し込まれた第１のミラー２ａ、第２の差込部９ｂに差し込まれた第２のミラー２ｂを、ミラー枠下部１ｂを外して取り出した図である。
【００２１】図５はドレッサー上台分解図で、内部を分解した図である。金属製フレーム３は、金属製フレーム左柱部３ａ、金属製フレーム右柱部３ｂ、金属製フレーム上部３ｃ、金属製フレーム下部３ｄ、金属製フレーム左部３ｅ、金属製フレーム右部３ｆからなり、これらは一体型の形状となっている。
ミラー枠１はミラー枠上部１ａ、ミラー枠下部１ｂ、ミラー枠左部１ｃ、ミラー枠右部１ｄ、ミラー枠表板１ｅ、ミラー枠裏板１ｆ、ミラー枠横木桟１ｇ〜１ｋ、ミラー枠縦木桟１ｌ〜１ｓから構成される。その外側には第１のミラー２ａ、第２のミラー２ｂがある。本発明では、ドレッサー内部構造においてミラー枠１の下から２／３以上が金属製フレーム３で構成されるため、従来の商品よりも木桟量を減らすことができ、軽量化を実現する。
【００２２】  図６はドレッサー上台組立構造図で図５を組み立てたものに相当し、第１のミラー２ａとミラー枠表板１ｅ、第２のミラー２ｂとミラー裏面１ｆの図示は省略している。
【００２３】図７はドレッサー内部金属製フレーム３の全体図である。金属製フレーム左柱部３ａ、金属製フレーム右柱部３ｂ、金属製フレーム上部３ｃ、金属製フレーム下部３ｄ、金属製フレーム左部３ｅ、金属製フレーム右部３ｆから構成され、全部分が一体となっている。
【００２４】図８はドレッサーミラー枠表裏溝図である。ミラー枠１に溝７が彫りこまれている。ミラー枠上部１ａには溝表面上部７ａと溝裏面上部７ｅが、ミラー枠下部１ｂには溝表面下部７ｂと溝裏面下部７ｆが、ミラー枠左部１ｃには溝表面左部７ｃと溝裏面左部７ｇが、ミラー枠右部１ｄには溝表面右部７ｄと溝裏面右部７ｈがある。溝表面上部７ａ、溝表面下部７ｂ、溝表面左部７ｃ、溝表面右部７ｄの総称を第１の差込部９ａ、溝裏面上部７ｅ、溝裏面下部７ｆ、溝裏面左部７ｇ、溝裏面右部７ｈの総称を第２の差込部９ｂとする。
【００２５】  以下、上記構成の動作を説明する。ミラー枠１からボルト止めされているミラー枠下部１ｄを取り外す。次に、第１のミラー２ａを第１の差込部９ａに、第２のミラー２ｂを第２の差込部９ｂに差込み、再びミラー枠下部１ｄをミラー枠１にボルト止め固定をする。片面ミラータイプの場合は第１のミラー２ａにミラー、第２のミラー２ｂに木製化粧板を差し込む仕様となる。両面ミラータイプの場合は第１のミラー２ａ、第２のミラー２ｂ共に、ミラーを差し込む仕様となる。
【００２６】  金属製フレーム３の高さは、ミラー枠１の下から２／３以上の高さになるように設ける。強度を上げるために内部枠をすべて金属製とすることも可能であるが、下から２／３以上の高さに設けると、より効果を発揮する。下から２／３以上に金属フレームを設けることで組立時にも重心が安定する、ドレッサー上台と天板４との接続固定において強度を持たせたまま容易に組立てることができる、といった効果がある。
また従来木桟だけの内部構造と比べて、木の収縮による内部部材の反りが減る分、木の反りを緩和でき、長年において歪みのない精度の高いミラーの状態を保つことが可能となる。また、美容室においてミラーを拭く作業やドレッサー本体を移動させる際に、揺れやしなりが軽減される。
金属製フレームの金属の種類においては、あらゆる金属でフレームを制作することは可能である。その中において、鉄は家具に使用される金属の中でも比重が大きいので、重心安定とミラーの反りを防ぐのに効果的で、強度とコストのバランスが取れる部材で好ましい。
ミラーの取り換えにおいては、スライド式にミラーを差し込むという簡易な作業となるので、ミラーの交換が容易に行える。第１の差込部９ａ、第２の差込部９ｂと差込部が２か所あるので、片面でのドレッサー使用、両面でのドレッサー使用の切り替えも容易になり、１台のドレッサー上台で片面ドレッサー、両面ドレッサーの共用が可能となる。従来ドレッサーはサイズが大きくなると、重心の安定がとりづらい、またミラーの交換作業に手間がかかるため、本発明はドレッサーが大型になればなるほどより効果を発揮する。
【符号の説明】
【００２７】Ａドレッサー全体
１ミラー枠  １ａミラー枠上部  １ｂミラー枠下部  １ｃミラー枠左部
１ｄミラー枠右部  １ｅミラー枠表板  １ｆミラー枠裏板
１ｇ〜１ｋミラー枠横木桟  １ｌ〜１ｓミラー枠縦木桟
２ａ第１のミラー  ２ｂ第２のミラー
３金属製フレーム  ３ａ金属製フレーム左柱部  ３ｂ金属製フレーム右柱部
３ｃ金属製フレーム上部    ３ｄ金属製フレーム下部
３ｅ金属製フレーム左部    ３ｆ金属製フレーム右部
４天板  ４ａ天板左開口  ４ｂ天板右開口
５座金  ５ａ座金左部  ５ｂ座金右部
６ボルト  ６ａボルト左部  ６ｂボルト右部
７溝  ７ａ溝表面上部  ７ｂ溝表面下部  ７ｃ溝表面左部  ７ｄ溝表面右部
７ｅ溝裏面上部  ７ｆ溝裏面下部  ７ｇ溝裏面左部  ７ｈ溝裏面右部
８ドレッサー下台
９ａ第一の差込部  ９ｂ第２の差込部
【図１】
2019058626.tif 000003
【図２】
2019058626.tif 000004
【図３】
2019058626.tif 000005
【図４】
2019058626.tif 000006
【図５】
2019058626.tif 000007
【図６】
2019058626.tif 000008
【図７】
2019058626.tif 000009
【図８】
2019058626.tif 000010